(57)【要約】  【課題】壁面における厚さ寸法の誤差に拘わらず、第１、第２枠体における部材間の隙間が表面に現れにくくする。  【解決手段】開口枠１は、第２枠体２０における内周面に沿って配置される板材２４が、内周層２６および外周層２８を積層した状態となっており、この内周層２６が第１枠体１０における嵌合溝１６に嵌合する。ここで、嵌合溝１６は、内周層２６よりも幅が広くなっているため、壁面の厚さ方向に対してスライドすることができる。【選択図】図２
2011089287.tif 000002
【特許請求の範囲】
【請求項１】
壁面に形成された矩形の開口部に扉を取り付けるべく、該開口部を取り囲む前記壁面の内周面に沿って設けられる開口枠であって、
前記壁面の裏側に沿って配置される板材、および、前記開口部を取り囲む前記壁面の内周面に沿って配置される板材、を断面Ｌ字状に連結してなる第１枠体と、
前記壁面の表側に沿って配置される板材、および、前記開口部を取り囲む前記壁面の内周面に沿って配置される板材、を断面Ｌ字状に連結してなる第２枠体と、を備え、
前記第１枠体における各板材を、前記壁面の裏側、および、前記開口部を取り囲む前記壁面の内周面、それぞれに沿って配置して前記壁面に取り付けた後、前記第２枠体における各板材を、前記壁面の表側、および、前記第１枠体において前記内周面に沿って配置された板材、それぞれに沿って配置して前記壁面に取り付けることで、前記第２枠体において前記第１枠体に沿って配置された板材の端部が戸当たりとなるように構成されており、
前記第２枠体のうち、前記内周面に沿って配置される板材は、前記内周面側に位置しており所定の幅をもって拡がる内周層、および、該内周層に積層された状態で該内周層より一定量だけ大きな幅をもって拡がる外周層、を有しており、
前記第１枠体のうち、前記内周面に沿って配置される板材には、前記第２枠体と重なる領域に、該第２枠体の内周層と嵌合する溝であって、該内周層の幅よりも大きく、かつ、前記外周層よりも小さい幅をもって拡がる嵌合溝が形成されている
ことを特徴とする開口枠。
【発明の詳細な説明】
【技術分野】
【０００１】
本発明は、壁面に形成された矩形の開口部に扉を取り付けるべく、該開口部を取り囲む前記壁面の内周面に沿って設けられる開口枠に関する。
【背景技術】
【０００２】
壁面の開口部に扉を取り付けるに際しては、この開口部の内周面に沿って開口枠を取り付ける必要がある。
この種の開口枠は、２つの板材を断面Ｌ字状に連結してなる第１枠体と、同じく２つの板材を断面Ｌ字状に連結してなる第２枠体と、を壁面に挟むようにして取り付けることにより、形成される。
【発明の概要】
【発明が解決しようとする課題】
【０００３】
しかし、壁面における厚さ方向の寸法には一定の誤差が生じることが多いため、その誤差の大きさによっては、第１、第２枠体で壁面を挟んだ状態で部材間の隙間が表面に現れるなど、といった問題があった。
【０００４】
本発明は、このような課題を解決するためになされたものであり、その目的は、壁面における厚さ寸法の誤差に拘わらず、第１、第２枠体における部材間の隙間が表面に現れにくくするための技術を提供することである。
【課題を解決するための手段】
【０００５】
上記課題を解決するため第１の構成は、
壁面に形成された矩形の開口部に扉を取り付けるべく、該開口部を取り囲む前記壁面の内周面に沿って設けられる開口枠であって、
前記壁面の裏側に沿って配置される板材、および、前記開口部を取り囲む前記壁面の内周面に沿って配置される板材、を断面Ｌ字状に連結してなる第１枠体と、
前記壁面の表側に沿って配置される板材、および、前記開口部を取り囲む前記壁面の内周面に沿って配置される板材、を断面Ｌ字状に連結してなる第２枠体と、を備え、
前記第１枠体における各板材を、前記壁面の裏側、および、前記開口部を取り囲む前記壁面の内周面、それぞれに沿って配置して前記壁面に取り付けた後、前記第２枠体における各板材を、前記壁面の表側、および、前記第１枠体において前記内周面に沿って配置された板材、それぞれに沿って配置して前記壁面に取り付けることで、前記第２枠体において前記第１枠体に沿って配置された板材の端部が戸当たりとなるように構成されており、
前記第２枠体のうち、前記内周面に沿って配置される板材は、前記内周面側に位置しており所定の幅をもって拡がる内周層、および、該内周層に積層された状態で該内周層より一定量だけ大きな幅をもって拡がる外周層、を有しており、
前記第１枠体のうち、前記内周面に沿って配置される板材には、前記第２枠体と重なる領域に、該第２枠体の内周層と嵌合する溝であって、該内周層の幅よりも大きく、かつ、前記外周層よりも小さい幅をもって拡がる嵌合溝が形成されている。
【０００６】
このように構成された開口枠は、前記第２枠体における内周面に沿って配置される板材が、内周層および外周層を積層した状態となっており、この内周層が第１枠体における嵌合溝に嵌合する。ここで、嵌合溝は、内周層よりも幅が広くなっているため、壁面の厚さ方向に対してスライドすることができる。
【０００７】
これにより、例えば、壁面の厚さが誤差により大きくなっている場合であっても、壁面の厚さ方向に内周層をスライドさせて厚さを拡げることにより、誤差を吸収することができる。
【０００８】
このとき、内周層には、この内周層および嵌合溝よりも幅が広い外周層が積層されているため、内周層をスライドさせたとしても、嵌合溝が開口枠表面に現れてしまうことはない。
【図面の簡単な説明】
【０００９】
【図１】開口枠の全体構成を示す正面図
【図２】開口枠の全体構成を示す上面断面図
【図３】開口枠の全体構成を示す側面断面図
【発明を実施するための形態】
【００１０】
以下に本発明の実施形態を図面と共に説明する。
（１）全体構成
開口枠１は、図１に示すように、壁面１００に形成された矩形の開口部２００に扉３００を取り付けるべく、該開口部２００を取り囲む壁面１００の内周面に沿って設けられるものである。
【００１１】
この開口枠１は、図２、図３に示すように、第１枠体１０、第２枠体２０を備える。
これらのうち、第１枠体１０は、壁面１００の裏側に沿って配置される板材１２、および、開口部２００を取り囲む壁面の内周面に沿って配置される板材１４、を断面Ｌ字状に連結したものである。この部材間の連結については、どのような手法により実現してもよいが、本実施形態では、特願２００８−２１５３７８号に記載されているジョイント部材４１０により連結を実現している。
【００１２】
また、第１枠体１０のうち、内周面に沿って配置される板材１４には、第２枠体２０と重なる領域に、該第２枠体２０における後述の内周層２６と嵌合する溝であって、内周層２６の幅よりも大きく、かつ、後述の外周層２８よりも小さい幅をもって拡がる嵌合溝１６が形成されている。
【００１３】
また、第２枠体２０は、壁面の表側に沿って配置される板材２２、および、開口部２００を取り囲む壁面の内周面に沿って配置される板材２４、を断面Ｌ字状に連結したものである。この部材間の連結については、第１枠体１０と同様、ジョイント部材４２０により実現している。
【００１４】
また、第２枠体２０のうち、内周面に沿って配置される板材２４は、内周面側に位置しており所定の幅をもって拡がる内周層２６、および、内周層２６に積層された状態で内周層２６より一定量だけ大きな幅をもって拡がる外周層２８、を有している。
【００１５】
このような構成の開口枠１は、以下のような手順により構築される。
まず、第１枠体１０における各板材を、壁面１００の裏側、および、開口部２００を取り囲む壁面１００の内周面、それぞれに沿って配置し、嵌合溝１６内部から内周面に向けて固定部材（ビス、ネジ、タッカーなど）を通すことにより、壁面１００へと取り付ける。ここで、開口部２００における下方を除いた三方それぞれについて、第１枠体１０の取り付けを行う。
【００１６】
なお、本実施形態における壁面１００は、一定間隔で配置された間柱１１０列をパネル１２０で挟むことにより構成されており、開口部２００は、この間柱１１０の間に形成されている。つまり、第１枠体１０における板材１４は、間柱１１０に取り付けられることになるが、この板材１４と間柱１１０との間には、密着を高める目的でパッキン５００を介在させるようにしている。
【００１７】
そして、第２枠体２０における各板材を、壁面１００の表側、および、第１枠体１０において内周面に沿って配置された板材１４、それぞれに沿って配置して壁面１００に取り付ける。ここでの取り付けは、どのような手法により実現してもよいが、本実施形態では、上述したのと同様、ジョイント部材４３０により実現している。これにより、第２枠体２０において第１枠体１０に沿って配置された板材２４は、その端部が戸当たりとして機能することになる。
（２）作用，効果
このように構成された開口枠１は、第２枠体２０における内周面に沿って配置される板材２４が、内周層２６および外周層２８を積層した状態となっており、この内周層２６が第１枠体１０における嵌合溝１６に嵌合する。ここで、嵌合溝１６は、内周層２６よりも幅が広くなっているため、壁面の厚さ方向に対してスライドすることができる。
【００１８】
これにより、例えば、壁面の厚さが誤差により大きくなっている場合であっても、壁面１００の厚さ方向に内周層２６をスライドさせて厚さを拡げることにより、誤差を吸収することができる。
【００１９】
このとき、内周層２６には、この内周層２６および嵌合溝１６よりも幅が広い外周層２８が積層されているため、内周層２６をスライドさせたとしても、嵌合溝１６が開口枠１表面に現れてしまうことはない。
【符号の説明】
【００２０】
１…開口枠、１０…第１枠体、１２…板材、１４…板材、１６…嵌合溝、２０…第２枠体、２２…板材、２４…板材、２６…内周層、２８…外周層、１００…壁面、１１０…間柱、１２０…パネル、２００…開口部、３００…扉、４１０…ジョイント部材、４２０…ジョイント部材、４３０…ジョイント部材、５００…パッキン。
【図１】
2011089287.tif 000003
【図２】
2011089287.tif 000004
【図３】
2011089287.tif 000005